(57)【要約】【課題】縫製作業に関するより適切な情報を取得可能なミシンを提供する。【解決手段】ミシン１は、糸切りスイッチ２２の入力を検出するＣＰＵ１１と、複数のオペレータごとに設けられた作業者コードとオペレータごとの習熟度を登録可能な作業者属性項目とを関連付けて記憶可能なＥＥＰＲＯＭ１４と、オペレータが自分の作業者コードを選択可能な操作パネル３０と、を備え、ＥＥＰＲＯＭ１４は、各縫製作業の縫製終了時刻を作業者コードと関連付けて作業記録データとして記憶し、操作パネル３０を介して作業者属性項目の追加及び当該作業者属性項目のパラメータ値を入力可能であり、ＣＰＵ１１は項目選択画面で選択された作業者属性項目等の項目を基準として縫製枚数を集計し、操作パネル３０はＣＰＵ１１による集計の結果を表示可能に設けられる。【選択図】図１２
2010069039.tif 000002
【特許請求の範囲】
【請求項１】
ミシンによる所定の縫製作業の完了を検出する検出手段と、
ミシンのオペレータごとに設けられた固有の識別情報を記憶する第１の記憶手段と、
前記第１の記憶手段から、前記所定の縫製作業を担当するオペレータの前記識別情報を選択する識別情報選択手段と、
前記所定の縫製作業の完了回数との関連を示す情報を、当該縫製作業を担当したオペレータの固有の識別情報と対応して記憶する第２の記憶手段と、
前記検出手段によって前記縫製作業の完了が検出される毎に、前記所定の縫製作業の完了回数との関連を示す情報を、当該縫製作業を担当したオペレータの固有の識別情報と対応して前記第２の記憶手段に記憶させる制御手段と、
を備えたミシンにおいて、
所定の属性項目に対する前記ミシンのオペレータごとの属性値を入力可能な属性値入力手段と、
前記属性値を前記識別情報と関連付けて記憶する第３の記憶手段と、
前記完了回数との関連を示す情報から前記属性値を基準として前記縫製作業の完了回数を集計する集計手段と、
前記集計手段による集計結果を表示可能な表示手段、または、前記集計結果を外部に出力する出力手段の少なくとも一方と、を備えることを特徴とするミシン。
【請求項２】
前記属性項目のうちいずれか一つを選択可能な属性項目選択手段を備え、
前記集計手段は前記属性項目選択手段によって選択された前記属性項目における属性値を基準として前記縫製作業の完了回数を集計することを特徴とする請求項１に記載のミシン。
【請求項３】
前記表示手段は前記属性値を項目に含む表形式で前記集計手段による集計結果を表示可能であることを特徴とする請求項１又は２に記載のミシン。
【請求項４】
前記表示手段は前記属性値を項目に含むグラフ形式で前記集計手段による集計結果を表示可能であることを特徴とする請求項１から３のいずれか一項に記載のミシン。
【発明の詳細な説明】
【技術分野】
【０００１】
本発明は、ミシン特に縫製作業の完了回数をカウントして当該カウント結果を表示可能なミシンに関する。
【背景技術】
【０００２】
ミシンを用いた縫製作業において、ミシンに対して行われる縫製作業の終了を示す入力（例えば糸切りスイッチの操作等）をカウントすることで当該ミシンにおける縫製作業の完了回数をカウントして事後に表示可能なミシンが知られている。これによってオペレータは完了回数の表示を確認することで縫製作業の完了回数を把握できる。また、複数人のオペレータが同一のミシンを用いる場合において、各オペレータに割り当てられた番号を縫製作業開始前に入力しておくことで、各オペレータの縫製作業の完了回数を個別に記憶して事後に表示可能なミシンが知られている（例えば特許文献１）。
【特許文献１】特開２００１−３２７７７８号公報
【発明の開示】
【発明が解決しようとする課題】
【０００３】
ところで、ミシンを用いた縫製作業においては、オペレータ毎に当該縫製作業に対する慣れや経験等による習熟度、または年齢、利き腕、視力等による適性が違い、その習熟度や適性の相違によって単位時間あたりの縫製作業の完了回数即ち効率にも差異が生じることがある。また、複数人のオペレータによる縫製作業においては、各オペレータの能力に応じて人員配置や作業分担を行うことにより組織的な効率向上を図れるため、各オペレータの能力を測る指標の一つとして各オペレータの習熟度や適性と縫製作業の完了回数との関連性を把握したいという要望があった。しかしながら、特許文献１に示すミシンを含む従来のミシンでは、オペレータ毎の縫製回収を取得することは可能であったものの、各オペレータはミシンの縫製作業に関する習熟度や適性と縫製作業の完了回数との関係を把握することはできなかった。そのため、オペレータ毎の習熟度や適性に応じた的確な人員配置や作業分担ができず、組織的な効率向上が図れなかった。
【０００４】
本発明は、上述の問題点に鑑み、縫製作業に関するより適切な情報を取得可能なミシンを提供することを目的とする。
【課題を解決するための手段】
【０００５】
請求項１記載の発明は、ミシンによる所定の縫製作業の完了を検出する検出手段と、ミシンのオペレータごとに設けられた固有の識別情報を記憶する第１の記憶手段と、前記第１の記憶手段から、前記所定の縫製作業を担当するオペレータの前記識別情報を選択する識別情報選択手段と、前記所定の縫製作業の完了回数との関連を示す情報を、当該縫製作業を担当したオペレータの固有の識別情報と対応して記憶する第２の記憶手段と、前記検出手段によって前記縫製作業の完了が検出される毎に、前記所定の縫製作業の完了回数との関連を示す情報を、当該縫製作業を担当したオペレータの固有の識別情報と対応して前記第２の記憶手段に記憶させる制御手段と、を備えたミシンにおいて、所定の属性項目に対する前記ミシンのオペレータごとの属性値を入力可能な属性値入力手段と、前記属性値を前記識別情報と関連付けて記憶する第３の記憶手段と、前記完了回数との関連を示す情報から前記属性値を基準として前記縫製作業の完了回数を集計する集計手段と、前記集計手段による集計結果を表示可能な表示手段、または、前記集計結果を外部に出力する出力手段の少なくとも一方と、を備えることを特徴とする。
【０００６】
請求項２記載の発明は、請求項１に記載のミシンにおいて、前記属性項目のうちいずれか一つを選択可能な属性項目選択手段を備え、前記集計手段は前記属性項目選択手段によって選択された前記属性項目における属性値を基準として前記縫製作業の完了回数を集計することを特徴とする。
【０００７】
請求項３記載の発明は、請求項１又は２に記載のミシンにおいて、前記表示手段は前記属性値を項目に含む表形式で前記集計手段による集計結果を表示可能であることを特徴とする。
【０００８】
請求項４記載の発明は、請求項１から３のいずれか一項に記載のミシンにおいて、前記表示手段は前記属性値を項目に含むグラフ形式で前記集計手段による集計結果を表示可能であることを特徴とする。
【発明の効果】
【０００９】
請求項１記載の発明によれば、属性値入力手段によってミシンによる縫製作業の習熟度や適性を示す所定の属性項目に対するオペレータ毎の属性値を入力可能であり、第３の記憶手段がオペレータ毎に設けられた識別情報と当該オペレータの属性値とを関連付けて記憶する。また、集計手段が属性値を基準として縫製作業の完了回数を集計し、表示手段が集計結果を表示、または、外部に出力する。つまり、縫製作業の管理者やオペレータは表示手段に表示された集計結果や外部に出力された集計結果を確認することで属性値と縫製作業の完了回数との対応関係を把握することが可能となる。従って、当該対応関係からオペレータ毎の属性値に応じて人員配置や作業分担を行うことで組織的な効率向上を図ることが可能となる。よって、各オペレータの属性値と縫製作業の完了回数との関係を把握できないためにオペレータ毎の習熟度に応じた的確な人員配置や作業分担ができず、組織的な効率向上が図れないといった従来のミシンの問題点を解消できる。
【００１０】
請求項２記載の発明によれば、属性項目選択手段によって任意の属性項目のうちいずれか一つを選択可能であり、集計手段は属性項目選択手段によって選択された属性項目における各属性値を基準として集計を行う。よって、属性項目が複数設けられている場合に、オペレータのそれぞれの属性項目に対する属性値と縫製作業の完了回数との対応関係を任意に集計して把握することが可能となる。よって、より詳細、好適にオペレータの属性と縫製作業の出来高との関係を把握可能となる。
【００１１】
請求項３記載の発明によれば、表示手段は属性値を項目に含む表形式で集計手段による集計結果を表示可能である。よって、オペレータの属性値と縫製作業の完了回数との対応関係を一様に表示できると共に、オペレータの属性値の差異による縫製作業の完了回数の変化を明確に把握することが可能となる。従って、より好適にオペレータの属性値と縫製作業の出来高との関係を把握可能となる。
【００１２】
請求項４記載の発明によれば、表示手段は属性値を項目に含むグラフ形式で集計手段による集計結果を表示可能である。よって、オペレータの属性値と縫製作業の完了回数との対応関係を一様に表示できると共に、オペレータの属性値の差異による縫製作業の完了回数の変化を明確に把握することが可能となる。従って、より好適にオペレータの習熟度と縫製作業の出来高との関係を把握可能となる。
また、請求項３記載の発明と共に請求項４記載の発明を実施する場合には、表示手段は縫製作業の管理者やオペレータの要望に応じて集計結果の表示を表形式及びグラフ形式のいずれでも表示できる。よって、より集計結果を把握しやすい表示形式を選択することが可能となり、一層好適にオペレータの習熟度や適性などの属性項目における属性値と縫製作業の出来高との関係を把握可能となる。
【発明を実施するための最良の形態】
【００１３】
（発明の全体構成）
以下、図を参照して本発明の実施の形態を詳細に説明する。
本発明によるミシン１は、縫製作業の完了回数をカウントして当該カウント結果を表示可能なミシンである。
図１は本発明にかかるミシン１の制御部１０及び制御部１０に接続された各部の主要構成を示すブロック図である。
ミシン１は少なくとも、ミシン１の各部を制御する制御部１０と、ミシン１による縫製の開始を入力するためのスタートスイッチ２１と、ミシン１に設けられた糸切り機構（図示略）による糸切り動作を指示入力するための糸切りスイッチ２２と、ミシン１に関する各種設定入力を行えると共にミシン１に関する各種情報を表示可能な操作パネル３０とを備えている。また、図示しないが、制御部１０にはミシン１の各部を駆動する各種アクチュエータや、各種センサ類が接続されている。
【００１４】
まず、制御部１０について詳説する。制御部１０は、ミシン１の動作制御に関する各種処理を行うＣＰＵ１１と、ＣＰＵ１１が行う各種処理において呼び出される各種プログラム及びデータを書き換え不能に記憶するＲＯＭ１２と、ＣＰＵ１１が行う各種処理において生じる一時データを格納する記憶領域としてのＲＡＭ１３と、ＣＰＵ１１が行う各種処理において呼び出される各種プログラム及びデータを書き換え不能に記憶するＥＥＰＲＯＭ１４と、現在時刻を計時及び管理してＣＰＵ１１の呼び出しに応じて現在時刻を返り値として出力する時計回路１５と、を備えている。
【００１５】
ＣＰＵ１１は、ＲＯＭ１２又はＥＥＰＲＯＭ１４から各種プログラム及びデータを呼び出して実行処理し、ミシン１の各部を制御する。
ＥＥＰＲＯＭ１４には縫い形状、縫いピッチ、縫い長さ及び縫いに関するコメント等を含む縫製パターンデータが複数記憶されており、各縫製パターンにはそれぞれ固有の番号（パターンＮｏ）が付与されている。縫製作業の際には、オペレータによって縫製パターンのパターンＮｏのいずれか一つが選択され、当該パターンＮｏの縫製パターンに基づいた縫いが行われる。また、ＥＥＰＲＯＭ１４には後述する作業記録データを記憶する作業記録データ記憶部１４ａを有しており、ＣＰＵ１１はスタートスイッチ２１及び糸切りスイッチ２２の入力に基づいて作業記録データを記憶する。また、ＥＥＰＲＯＭ１４は作業者情報を記憶する作業者情報記憶部１４ｂを有しており、ＣＰＵ１１は後述する操作パネル３０からの入力に基づいて作業者情報を記憶する。
【００１６】
（作業記録データ及び作業者情報）
ここで、作業記録データ及び作業者情報について詳説する。まず、作業記録データについて詳説する。図２は作業記録データの構成を示す説明図である。図２に示すように、作業記録データはデータ番号、縫製開始時刻、縫製終了時刻、パターンＮｏ及び作業者コードを示す各パラメータ値を一組のデータとして取り扱うよう構成されたテーブル形式のデータ群である。
データ番号は、縫製作業の内容を示す各パラメータである縫製開始時刻、縫製終了時刻、パターンＮｏ及び作業者コードの組み合わせ毎に付与される固有のパラメータであり、図２に示すように縫製作業が行われた順番を示す数値として記憶される。
縫製開始時刻は、スタートスイッチ２１の入力を検出した際にＣＰＵ１１が時計回路１５から取得した時刻を記憶したものである。縫製終了時刻は、糸切りスイッチ２２の入力を検出した際にＣＰＵ１１が時計回路１５から取得した時刻を記憶したものである。つまり、ＣＰＵ１１は糸切りスイッチ２２の入力を検出した場合に、例えば、縫製パターンＮｏにより選択された所定の縫製作業が完了したものとして処理し、各作業記録データを区切っている。よって、糸切りスイッチ２２は、ミシンによる所定の縫製作業の完了を検出「検出手段」として機能する。
パターンＮｏは、オペレータによって選択された縫製パターンのパターンＮｏである。作業者コードは、当該縫製作業を行ったオペレータを示す固有の識別情報として機能する文字列であり、作業者コードからどのオペレータによって当該縫製作業が実施されたのか判別可能となっている。
【００１７】
縫製作業の際には、オペレータが所定の縫製作業を開始する際に、オペレータによって当該オペレータに対応する作業者コードが選択され、かつ、所定の縫製作業としての縫製パターンのパターンＮｏが選択された状態で行われる。当該状態において、スタートスイッチ２１及び糸切りスイッチ２２の入力が行われると、ＣＰＵ１１は当該作業者コード、パターンＮｏ及び縫製開始時刻などとともに、当該縫製パターンの完了回数との関連を示す情報としての縫製終了時刻を一組のデータとしてＲＡＭ１３に格納し、当該一組のデータにデータ番号を付与してＥＥＰＲＯＭ１４の作業記録データ記憶部１４ａに記憶する。つまり、作業記録データはミシン１の縫製作業の履歴を記憶している。ＣＰＵ１１は、各作業者コードを含む作業記録データのデータ数をそれぞれ集計することにより、各作業者コードに対応したオペレータそれぞれの縫製作業の完了回数を算出することが可能となる。よって、所定の縫製作業の完了回数との関連を示す情報を、当該縫製作業を担当したオペレータの作業者コードと対応して記憶するＥＥＰＲＯＭ１４は「第２の記憶手段」として機能する。
【００１８】
次に、作業者情報について詳説する。図３は作業者情報の構成の一例を示す説明図である。作業者情報は少なくとも、作業者コード、作業者名を含む複数のパラメータを一組のデータとして取り扱うよう構成されたテーブル形式のデータ郡である。作業者情報に含まれる作業者コードは作業記録データに含まれる作業者コードと同様のものであり、作業者名は当該作業者コードが示すオペレータの名前である。つまり、作業者情報は作業者コードとオペレータとを関連付けるデータである。よって、複数のオペレータごとに設けられた固有の識別情報である作業者コードを記憶するＥＥＰＲＯＭ１４は「第１の記憶手段」として機能する。
また、作業者コードは上述のように作業記録データにも含まれている。これによって、作業者コードは作業記録データと作業者情報とを関連付けるパラメータとしても機能している。
【００１９】
また、作業者情報には、後述する操作パネル３０を介した入力操作によって追加入力が可能な作業者属性項目が上述の作業者コード及び作業者名と関連付けられて記憶されている。作業者属性項目としては例えば図２に示すように、就業年数、年齢、利き腕、視力といった所定の属性項目に対するパラメータがあげられる。なお、就業年数は各オペレータの習熟度を、年齢や利き腕、視力等は各オペレータの適性を、それぞれ示す属性項目として機能する。よって、ＥＥＰＲＯＭ１４は所定の属性項目におけるオペレータごとの属性値を各オペレータの固有の識別情報と関連付けて記憶する「第３の記憶手段」として機能する。無論、これ以外の属性項目を作業者属性項目として追加してもよい。作業者属性項目の登録方法については後述する。また、以降の説明においては、上述した所定の属性項目に対するパラメータを、作業者コード及び作業者名と識別するために、属性値と称することとする。
【００２０】
次に、操作パネルについて詳説する。図４は操作パネル３０を示す説明図である。
図１に示すように、操作パネルは、タッチパネル３１と、インターフェイス３２とを備えている。
タッチパネル３１は、ミシン１の各種情報を表示すると共に当該タッチパネルに対するオペレータによる近接、接触あるいは押圧操作を検出して、タッチパネル上で当該検出があった位置とその位置の表示内容とを対応付けてオペレータによる入力内容を判別可能な所謂タッチパネルディスプレイである。なお、タッチパネル３１の表示内容の制御及びタッチパネル３１に対する入力に応じた各種処理はＣＰＵ１１がＲＯＭ１２又はＥＥＰＲＯＭ１４から対応する各種ソフトウェア及びデータを呼び出して実行処理する所謂ソフトウェア処理によって行われている。
インターフェイス３２は、各種の外部機器を接続可能な端子であり、例えば外部記憶媒体をインターフェイス３２に接続することで当該外部記憶媒体に記憶された各種プログラムやデータをミシン１のＣＰＵ１１から呼び出して実行処理することが可能になると共に、各種プログラム及びデータを当該外部記憶媒体に記憶することが可能となる。
なお、図４に示す操作パネル３０のタッチパネル３１にはミシン１の電源を入れた直後に表示される画面である準備画面が表示されている状態であり、準備完了ボタンＲが操作されると後述する標準画面３１Ａへと表示内容が遷移する。
【００２１】
（標準画面）
図５はタッチパネル３１に表示された標準画面３１Ａの一例を示す説明図である。標準画面３１Ａには少なくとも、選択されている作業者コードを示すと共に後述する作業者一覧画面３１Ｂ（図６参照）への遷移を指示入力する作業者コードキーＯと、後述する集計対象設定画面３１Ｅ（図９参照）への遷移を指示入力する情報キーＩと、が表示されている。また、オペレータによって選択された縫製パターンの縫いパターンや縫いピッチ、縫製速度その他の情報が縫製パターン表示領域Ｐに表示されている。標準画面３１Ａが表示された状態でスタートスイッチ２１が操作されるとミシン１による縫製作業が開始され、このとき上述のように縫製開始時刻がＣＰＵ１１によって取得される。その後糸切りスイッチ２２が操作されることで当該縫製作業は終了し、ＣＰＵ１１によって縫製終了時刻が取得される。当該縫製作業の縫製開始時刻、縫製終了時刻、作業者コードキーＯに表示された作業者コード及び縫製パターン表示領域Ｐに表示された縫製パターンのパターンＮｏは一組のデータとしてデータ番号を付与されて作業記録データ記憶部１４ａに記憶される。従って、ＣＰＵ１１は、糸切りスイッチ２２によって所定の縫製作業の完了が検出される毎に、当該縫製作業の完了回数との関連を示す情報としての縫製終了時刻を、当該所定の縫製作業を担当するオペレータの固有の識別情報と対応させて第２の記憶手段に記憶させる制御手段として機能する。
【００２２】
また、標準画面３１Ａにおいて作業者コードキーＯを操作するとタッチパネル３１の表示内容が作業者一覧画面３１Ｂ（図６参照）へと遷移する。また、作業者一覧画面３１Ｂからは作業者情報画面３１Ｃ（図７参照）へ、作業者情報画面３１Ｃからは作業者情報入力画面３１Ｄ（図８参照）、作業者属性項目登録画面へと遷移可能であり、これらの各画面において入力操作を行うことでオペレータに関する作業者属性項目（単に、属性項目とも称する）や当該属性項目における各オペレータの属性値を含む各種作業者情報を入力、編集、追加することが可能となっている。以下、オペレータに関する各種作業者属性項目を入力する際に操作パネル３０に表示される各種画面について詳説する。
【００２３】
（作業者一覧画面）
図６はタッチパネル３１に表示された作業者一覧画面３１Ｂの一例を示す説明図である。作業者一覧画面３１Ｂには少なくとも、各作業者コードを個別に表示すると共にそのいずれか一つを選択可能な作業者コードキーＯ１と、選択された作業者コードキーに対応する作業者コードでの縫製作業を行う旨を入力するＥｎｔｅｒキーＥと、選択された作業者コードキーに対応する作業者情報を表示する作業者情報画面３１Ｃ（図７参照）への遷移を指示入力する編集キーＤと、が表示されている。
【００２４】
作業者コードキーＯ１には、ＥＥＰＲＯＭ１４の作業者情報１４ｂに記憶された作業者コードがそれぞれ個別のキーに表示されており、その何れかひとつを選択することが可能となっている。なお、作業者コードキーＯ１に限らず選択されたキーはその周囲にたいして凹んだ状態として表示され、非選択のキーはその周囲に対する凹部として表示される。また、図６に示す作業者コードキーＯ１は６つの作業者コードをそれぞれ示す６つのキーとなっているが、作業者コードキーＯ１のキー数はＥＥＰＲＯＭ１４の作業者情報１４ｂに記憶された作業者コードの数に応じて変化する。このとき、１画面ですべての作業者コードキーＯ１が表示できないほど作業者コードの数が多い場合は画面をスクロール表示可能にすることですべての作業者コードの作業者コードキーＯ１からいずれかひとつを選択可能とするようにしてもよい。
【００２５】
また、作業者コードキーＯ１のいずれかひとつが選択された状態でＥｎｔｅｒキーＥが操作されると、タッチパネル３１の表示内容が標準画面３１Ａへと遷移する。このとき、標準画面３１Ａの作業者コードキーＯに表示された作業者コードは、遷移前の作業者一覧画面３１Ｂで選択された作業者コードキーＯ１の作業者コードとなる。つまり、オペレータは作業者一覧画面から自分の作業者コードキーを選択してＥｎｔｅｒキーＥを操作することで、以後の縫製作業において作業記録データとして記憶される作業者コードキーを自分の作業者コードキーとすることができる。よって、オペレータが所定の縫製作業を開始する際に、ＥＥＰＲＯＭ１４に記憶されたオペレータ毎の固有の識別情報から当該縫製作業を担当するオペレータの識別情報を選択する作業者一覧画面３１Ｂは「識別情報選択手段」として機能する。
また、作業者コードキーＯ１のいずれかひとつが選択された状態で編集キーＤが操作されると、タッチパネル３１の表示内容が後述する作業者情報画面３１Ｃ（図７参照）へと遷移する。
【００２６】
（作業者情報画面）
図７はタッチパネル３１に表示された作業者情報画面３１Ｃの一例を示す説明図である。作業者情報画面３１Ｃには少なくとも、作業者コードを示す作業者コードキーＯ２と、作業者名を示す作業者名キーＮと、作業者属性項目を追加する指示入力を行う項目追加キーＴと、が表示されている。作業者コードキーＯ２又は作業者名キーＮを操作すると、タッチパネル３１の表示内容が後述する作業者情報入力画面３１Ｄ（図８参照）へと遷移する。また、項目追加キーＴを操作すると、タッチパネル３１の表示内容が後述する作業者属性項目登録画面へと遷移する。
【００２７】
（作業者情報入力画面）
まず、作業者情報入力画面３１Ｄについて詳説する。
図８は操作パネルに表示された作業者情報入力画面３１Ｄの一例を示す説明図である。作業者情報入力画面３１Ｄには少なくとも、入力対象となるコード（例えば作業者コードや作業者名、または、経験年数等の属性項目）を示す各種文字、数字又は記号を入力するための複数のコード入力キーＫと、コード入力キーＫによる入力内容が表示される表示エリアＡと、表示エリアＡに表示された内容で当該コードを確定する旨を入力するＥｎｔｅｒキーＥ１と、表示エリアＡに表示された入力内容を破棄して作業者情報画面３１Ｃに戻るキャンセルキーＸと、表示エリアＡに表示された入力内容の末尾一文字を削除する削除キーＢと、表示エリアＡのカーソルＣの位置を変更するカーソル位置変更キーＭと、が表示されている。
【００２８】
コード入力キーＫを操作すると、各コード入力キーに対応した文字、数字又は記号が操作順に表示エリアＡに入力されて表示される。なお、図８に示すコード入力キーＫはアルファベット、数字及び各種記号のみに留まっているが、ひらがな又はカタカナによる入力を行うためのキーを加えてもよいし、入力内容を漢字等に変換するための変換キーを設けてもよい。この場合に、各キーが一画面に収まりきらない場合は画面をスクロール表示可能にすることで対応してもよい。
ＥｎｔｅｒキーＥ１を操作すると、タッチパネル３１の表示内容が作業者情報画面３１Ｃに遷移すると共に、作業者情報入力画面３１Ｄの表示エリアＡに表示されていた内容が作業者情報画面の編集対象のコード（例えば作業者コードや作業者名、経験年数等の各属性項目における属性値）に反映される。このとき、ＥＥＰＲＯＭ１４の作業者情報記憶部１４ｂに記憶された内容についても、編集対象となったコードに対応するパラメータが作業者情報入力画面３１Ｄの表示エリアＡに表示された内容に置き換わる。つまり、作業者情報入力画面３１Ｄでの入力操作によって作業者情報を編集することが可能となる。すなわち、タッチパネル３１の作業者情報入力画面３１Ｄは、所定の属性項目に対する各オペレータごとの属性値を入力可能な属性値入力手段として機能する。
【００２９】
また、キャンセルキーＸを操作すると、表示エリアＡに表示された内容は破棄されると共に、タッチパネル３１の表示内容が作業者情報画面３１Ｃに遷移する。このとき、編集対象となるコードの置き換えは行われない。また、削除キーＢを操作すると表示エリアＡに表示された入力内容の末尾一文字を削除することが出来る。また、カーソル位置変更キーＭのいずれか一方を操作すると、それぞれの矢印に対応した方向に一文字分ずつ表示エリアＡのカーソルＣの位置を変更することが出来る。
なお、図８に示す項目表示エリアＮには、編集対象となるコード名（例えば「作業者コード」や「作業者名」「経験年数」等）が表示される。
【００３０】
（作業者属性項目登録画面）
次に、作業者属性項目登録画面について詳説する。
作業者属性項目登録画面の表示内容は、上述の作業者情報入力画面３１Ｄとほぼ同様の構成である。ただし、項目表示エリアＮの表示内容は「作業者属性項目登録」となる。また、ＥｎｔｅｒキーＥ１を操作した場合は、表示エリアＡの内容が作業者属性項目Ｑとして追加して登録される。つまり、作業者属性項目登録画面での入力操作によって作業者属性項目を追加することが可能となる。例えば、作業者属性項目登録画面において「年齢」と入力してＥｎｔｅｒキーＥ１を操作することで、図７の作業者情報画面３１Ｃに示す作業者属性項目Ｑとして「年齢」を追加できる。同様にして「就業年数」の作業者属性項目Ｑも追加して登録できる。
【００３１】
追加登録された作業者属性項目Ｑの属性値については、上述の作業者情報入力画面３１Ｃにおいて、前述と同様の方法で入力、編集が出来る。各作業者属性項目Ｑのパラメータを示すキーＱ１を操作すると、タッチパネル３１の表示内容が作業者情報入力画面３１Ｃへと遷移する。例えば、「就業年数」の欄のキーＱ１を操作して作業者情報入力画面３１Ｃへと遷移し、「１０」と入力してＥｎｔｅｒキーＥ１を操作すると、図７に示すように「就業年数」の作業者属性項目ＱのキーＱ１に「１０」と反映される。
なお、作業者属性項目登録画面への入力によって追加された作業者属性項目は全ての作業者コードの作業者情報に反映され、初期値なしでＥＥＰＲＯＭ１４の作業者情報記憶部１４ｂに記憶される。その後、各作業者コードの作業者情報画面３１Ｃから作業者属性項目ＱのキーＱ１を操作して作業者情報入力画面３１Ｄから入力を行うことで、対応する作業者属性項目の属性値が入力され、ＥＥＰＲＯＭ１４の作業者情報記憶部１４ｂに記憶される。よって、作業者一覧画面３１Ｂから選択された作業者に対し、作業者情報画面３１Ｃにおいて就業年数や年齢といったミシンにおける縫製作業の習熟度や適性を示す属性項目を選択し、作業者情報入力画面３１Ｄにより選択された属性項目に対する属性値を入力することで、操作パネル３０はミシンのオペレータに対して設定された所定の属性項目に対する識別情報ごとの属性値を入力可能な「属性情報入力手段」として機能する。
【００３２】
なお、作業者属性項目の項目数は予め設定された所定の数まで追加することが可能である。作業者情報画面３１Ｃで項目追加キーＴを操作した際に、作業者属性項目の項目数が既に予め設定された所定の数だけ設けられていた場合には、これ以上作業者属性項目を追加できない旨を示すエラーが通知される。
【００３３】
（縫製作業に関する集計）
次に、縫製作業に関する各種集計を行う際に操作パネルに表示される各種画面について詳説する。なお、本実施の形態における「集計」とは、ＥＥＰＲＯＭ１４の作業記録データ記憶部１４ａに記憶された作業記録データから特定の条件に該当するデータのみを対象とし、特定の項目を基準としてデータの数を計数することである。このとき、「特定の項目を基準としてデータの数を計数する」とは、特定の属性項目についてその属性値毎にグループ分けし、同じ属性値を有するデータを一つのグループとして扱いグループ毎のデータ数を計数することである。
図５に示す標準画面３１Ａの情報キーＩを操作すると、タッチパネル３１の表示内容が集計対象設定画面３１Ｅ（図９参照）へと遷移する。集計対象設定画面３１Ｅからは作業者情報選択画面３１Ｆ（図１０参照）、属性項目選択画面３１Ｇ（図１１参照）、開始時刻設定画面及び終了時刻設定画面へと遷移可能であり、これらの各画面において入力操作を行うことでＥＥＰＲＯＭ１４の作業記録データ記憶部１４ａに記憶された作業記録データから縫製作業に関する各種集計を行うことが可能となっている。以下、縫製作業に関する各種集計を行うための各画面について詳説する。
【００３４】
（集計対象設定画面）
図９はタッチパネル３１に表示された集計対象設定画面３１Ｅの一例を示す説明図である。集計対象設定画面３１Ｅは少なくとも、後述する作業者情報選択画面３１Ｆ（図１０参照）への遷移を指示入力する作業者コードキーＯ３と、集計の基準とする属性項目を示すと共に後述する属性項目選択画面３１Ｇ（図１１参照）への遷移を指示入力する項目キーＶと、作業記録データのうち集計の対象とする縫製パターンＮｏ及び縫製終了時刻の時間帯を表示すると共に、当該縫製パターンＮｏ及び当該時間帯を指定するための各画面への遷移をそれぞれ指示入力するパターン選択キーＰ、開始時刻キーＳＡ、終了時刻ＳＥキーと、集計結果を表示する各画面を表示するための表示キーＵと、を備える。
作業者コードキーＯ３を操作するとタッチパネル３１の表示内容が作業者情報選択画面３１Ｆ（図１０参照）へと遷移する。
【００３５】
（作業者情報選択画面）
図１０はタッチパネル３１に表示された作業者情報選択画面３１Ｆの一例を示す説明図である。作業者情報選択画面３１Ｆには少なくとも、各作業者コードを個別に表示すると共に任意の数のキーを選択可能な作業者コードキーＯ４と、全ての作業者コードキーＯ４を選択あるいは選択解除する指示入力を行うためのＡＬＬキーＡＬと、作業者の選択完了を指示入力するためのＥｎｔｅｒキーＥ２と、作業者の選択作業を取り消して集計対象設定画面３１Ｅへ戻る指示入力を行うためのキャンセルキーＸ１と、が表示されている。
【００３６】
作業者コードキーＯ４には、ＥＥＰＲＯＭ１４の作業者情報１４ｂに記憶された作業者コードがそれぞれ個別のキーに表示されており、任意の数の作業者コードキーＯ４を選択することが可能となっている。なお、図１１に示す作業者コードキーＯ４は６つの作業者コードをそれぞれ示す６つのキーとなっているが、作業者コードキーＯ４のキー数はＥＥＰＲＯＭ１４の作業者情報１４ｂに記憶された作業者コードの数に応じて変化する。このとき、１画面ですべての作業者コードキーＯ４が表示できないほど作業者コードの数が多い場合は画面をスクロール表示可能にすることですべての作業者コードの作業者コードキーＯ４を表示するようにしてもよい。なお、ＡＬＬキーＡＬを操作すると、全ての作業者コードキーＯ４が選択された状態となる。その状態でもう一度ＡＬＬキーＡＬを操作すると、全ての作業者コードキーＯ４の選択が解除される。
【００３７】
また、作業者コードキーＯ４が一つ以上選択された状態でＥｎｔｅｒキーＥ２が操作されると、タッチパネル３１の表示内容が集計対象設定画面３１Ｅへと遷移する。このとき、作業者情報選択画面３１Ｆで選択された作業者コードキーＯ４に対応する作業者コードによる縫製作業の履歴が集計対象となる。つまり、ＣＰＵ１１はＥＥＰＲＯＭ１４の作業記録データ記憶部１４ａに記憶された作業記録データに含まれるデータのうち、作業者情報選択画面３１Ｆで選択された作業者コードキーＯ４に対応する作業者コードが含まれるデータのみを集計の対象として扱う。
また、キャンセルキーＸ１が操作されると、タッチパネル３１の表示内容が集計対象設定画面３１Ｅへと遷移する。このとき、作業者情報選択画面３１Ｆでの入力操作はなかったものとして扱われる。
【００３８】
（項目選択画面）
また、図９に示す集計対象設定画面３１Ｅの項目キーＶを操作すると、タッチパネル３１の表示内容が属性項目選択画面３１Ｇ（図１１参照）へと遷移する。
図１１はタッチパネル３１に表示された属性項目選択画面３１Ｇの一例を示す説明図である。
属性項目選択画面３１Ｇには少なくとも、集計の基準とすることが可能な属性項目を個別に表示すると共にその何れか一つを選択可能な項目キーＶ１と、項目の選択完了を指示入力するためのＥｎｔｅｒキーＥ３と、属性項目の選択作業を取り消して集計対象設定画面３１Ｅへ戻る指示入力を行うためのキャンセルキーＸ２と、が表示されている。
【００３９】
項目キーＶ１には、作業者名及び過去に作業者属性項目登録画面から追加して登録された作業者属性項目がそれぞれ個別のキーに表示されており、その何れか一つを選択可能となっている。
また、項目キーＶ１の何れか一つが選択された状態でＥｎｔｅｒキーＥ３が操作されると、タッチパネル３１の表示内容が集計対象設定画面３１Ｅへと遷移する。このとき、ＣＰＵ１１は後述する集計処理の際に属性項目選択画面３１Ｇで選択された属性項目の属性値を基準とする集計を行う。よって、属性項目選択画面３１Ｇにおいて属性情報として機能する就業年数、年齢、利き腕、視力といった項目を選択することで、当該属性項目の属性値を基準とした集計を指示入力することが可能な属性項目選択画面３１Ｇを表示する操作パネル３０は「属性項目選択手段」として機能する。なお、ＥｎｔｅｒキーＥ３を操作して属性項目選択画面３１Ｇから集計対象設定画面３１Ｅに遷移した際、選択された項目キーＶ１の内容が集計対象設定画面３１Ｅの項目キーＶに表示される。
また、キャンセルキーＸ２が操作されると、タッチパネル３１の表示内容が集計対象設定画面３１Ｅへと遷移する。このとき、属性項目選択画面３１Ｇでの入力操作はなかったものとして扱われる。
【００４０】
（パターンＮｏ入力画面、開始時刻入力画面及び終了時刻入力画面）
また、図９に示す集計対象設定画面３１ＥのパターンＮｏ選択キーを操作すると、タッチパネル３１の表示内容が縫製パターンの入力画面（図示略）に遷移し、開始時刻キーＳＡを操作するとタッチパネル３１の表示内容が開始時刻入力画面（図示略）に遷移し、終了時刻キーＳＥを操作すると終了時刻入力画面（図示略）に遷移する。縫製パターンＮｏ、開始時刻入力画面及び終了時刻入力画面ではそれぞれパターンＮｏ、縫製時刻及び縫製終了時刻を指定入力することが可能となっており、作業記録データのうち、縫製パターンの入力画面で指示入力された縫製パターンＮｏのデータであって、開始時刻入力画面で入力した時刻から終了時刻入力画面で入力した時間までの間に縫製終了時刻が含まれる作業記録データが集計対象となる。このとき、開始時刻入力画面及び終了時刻入力画面の入力チェック等において、終了時刻が開始時刻の後となるよう入力されなければならないようになっていることが望ましい。なお、各画面で入力された時刻が集計対象設定画面３１Ｅの開始時刻キー、終了時刻キーに表示される。
【００４１】
（集計結果の表示）
また、図９に示す集計対象設定画面３１Ｅの表示キーＵを操作すると、集計対象設定画面３１Ｅから遷移可能な各画面で設定された項目に基づいてＣＰＵ１１によって作業記録データの集計処理が行われ、その集計結果が表示される。つまり、ＣＰＵ１１はＥＥＰＲＯＭ１４の作業記録データ記憶部１４ａに記憶された作業記録データのうち、開始時刻入力画面で入力された開始時刻から終了時刻入力画面で入力された終了時刻までの間に縫製開始時刻及び縫製終了時刻が含まれるデータであって、かつ、作業者情報選択画面３１Ｆで選択された作業者コードキーＯ４に対応した作業者コードを含むデータについて、属性項目選択画面３１Ｇで選択された属性項目の属性値を基準とした集計処理を行い、その集計結果を操作パネル３０のタッチパネル３１に表示する。よって、ＣＰＵ１１は「集計手段」として機能する。また、操作パネル３０は「表示手段」として機能する。
なお、集計結果の表示画面として、後述する一覧表示画面３１Ｈと、グラフ表示画面３１Ｉとが設けられており、そのいずれか一方が表示される。一覧表示画面３１Ｈとグラフ表示画面３１Ｉのいずれを表示するかの選択は、図示しない表示選択画面にて選択が可能となっている。つまり、集計対象設定画面３１Ｅにて表示キーＵを操作すると上述の集計作業が行われると共に表示選択画面が表示され、表示選択画面で選択された方の表示画面が表示される。以下、各画面について詳説する。
【００４２】
（一覧表示画面）
まず、一覧表示画面３１Ｈについて詳説する。
図１２はタッチパネル３１に表示された一覧表示画面３１Ｈの一例を示す説明図である。
図１２に示すように、一覧表示画面３１Ｈには上述の集計結果が一覧表Ｌの表形式で表示される。このとき、属性項目選択画面３１Ｇで選択された属性項目の各属性値が一覧表Ｌの項目Ｌ１として表示され、その右側に「枚数」の項目が表示される。また、項目Ｌ１の下に続く各行には集計の対象となったデータのうち属性項目Ｌ１に示す属性項目に含まれた属性値がそれぞれ表示され、その右側即ち「枚数」欄にそれぞれの属性値を含むデータの数が表示される。例えば、図１２に示す例の場合、集計対象の中に「就業年数」の作業者属性項目として記憶されていた属性値は1,2,3,4の４種類があり、それぞれの属性値を有するデータの数は18,23,33,40個であったことが表示されている。なお、データの数は縫製作業の完了回数即ち縫製物の枚数であるので、データ数を集計することで縫製物の枚数が集計できる。
【００４３】
（グラフ表示画面）
次に、グラフ表示画面３１Ｉについて詳説する。
図１３はタッチパネル３１に表示されたグラフ表示画面３１Ｉの一例を示す説明図である。図１３に示すように、グラフ表示画面３１Ｉには上述の集計結果がグラフＧとして表示される。このとき、グラフＧの横軸として属性項目選択画面３１Ｇで選択された属性項目が設定され、縦軸として「枚数」が設定される。なお、グラフＧが示す集計結果については上述の一覧表示画面３１Ｈと同様であるので詳細は省略する。
なお、グラフ表示画面３１Ｉに示すグラフＧは縦棒グラフであるが、集計結果を示すグラフ形式ならば他のグラフ形式でもよいことは言うまでもない。例えば横棒グラフや折れ線グラフ等でもよい。
【００４４】
（ミシンの動作）
次に、上述の操作パネル３０を用いた各種入力操作に伴う処理について詳説する。
まず、作業者属性項目登録画面から作業者属性項目を追加登録する際の処理について詳説する。図１４は作業者属性項目の追加登録の際の処理動作内容を示すフローチャートである。図１５は作業者属性項目の追加登録前後の作業者情報を示す説明図である。なお、図１５（ａ）は追加登録前、図１５（ｂ）は追加登録後を示す。
作業者情報画面３１Ｃにて項目追加キーＴが操作されると、ＣＰＵ１１はＥＥＰＲＯＭ１４の作業者情報記憶部１４ｂに記憶された現在の作業者属性項目の項目数を取得する（ステップＳ１）。次に、ＣＰＵ１１はステップＳ１で取得した項目数が予め定められた所定の数未満であるかどうか判定する（ステップＳ２）。所定の数未満であった場合（ステップＳ２：ＹＥＳ）、ＣＰＵ１１は操作パネル３０のタッチパネル３１の表示内容を作業者属性項目登録画面へ遷移させる（ステップＳ３）。作業者属性項目登録画面において、オペレータによって属性項目名の入力（ステップＳ４）及びＥｎｔｅｒキーの操作（ステップＳ５）が行われると、ＣＰＵ１１は作業者情報記憶部１４ｂの作業者情報にステップＳ４で入力された作業者属性項目を追加して登録する（ステップＳ６）。なお、図１５（ａ），（ｂ）に示す例では、作業者属性項目として「年齢」が追加登録されている。
なお、ステップＳ６と共に、ＣＰＵ１１はタッチパネル３１の表示内容を作業者情報画面３１Ｃへ遷移させ、処理を終了する。また、ステップＳ２において項目数が予め定められた所定の数未満でない（ステップＳ２：ＮＯ）、即ち予め定められた所定の数だけ既に作業者属性項目が登録されていた場合、ＣＰＵ１１はこれ以上作業者属性項目を追加できない旨を示すエラー通知を行い（ステップＳ７）、処理を終了する。
【００４５】
次に、作業記録データの集計を行う際の処理について詳説する。図１６は作業記録データの集計を行う際の処理動作内容を示すフローチャートである。
まず、集計対象設定画面３１Ｅにてオペレータによって集計対象とする縫製パターンＮｏの選択（ステップＳ１０）、作業者コードの選択（ステップＳ１１）、集計の基準となる属性項目の選択（ステップＳ１２）、開始時刻の入力（ステップＳ１３）及び終了時刻の入力（ステップＳ１４）が行われる。なお、ステップＳ１１は作業者情報選択画面３１Ｆにおける作業者コードキーＯ４の選択によって、ステップＳ１２は属性項目選択画面３１Ｇにおける項目キーＶ１の選択によって行われる。また、ステップＳ１０〜１４の順番は特に定められたものでなく、順番が入れ替わってもよい。
その後、表示キーＵが操作されると（ステップＳ１５）、ＣＰＵ１１は集計処理を行う（ステップＳ１６）。集計処理の処理動作内容については後述する。集計処理が終了すると、ＣＰＵ１１は集計結果の表示方法を選択するための表示選択画面を表示する（ステップＳ１７）。表示選択画面において一覧表示画面が選択されると（ステップＳ１８：ＹＥｓ）ＣＰＵ１１はタッチパネル３１の表示内容を一覧表示画面に遷移させて集計結果を表示させる（ステップＳ１９）。また、表示選択画面においてグラフ表示画面が選択されると（ステップＳ２０：ＹＥＳ）、ＣＰＵ１１はタッチパネル３１の表示内容をグラフ表示画面に遷移させて集計結果を表示させる（ステップＳ２１）。
【００４６】
次に、上述のステップＳ１６の集計処理について詳説する。図１７は集計処理の処理動作内容を示すフローチャートである。図１８は集計処理の一例を作業記録データ、作業者情報及び属性値ごとのカウンタを用いて示す説明図である。
まず、ＣＰＵ１１はＲＡＭ１３にカウンタｎに初期値１を設定する（ステップＳ３１）。次に、ＣＰＵ１１はＥＥＰＲＯＭ１４の作業記録データ記憶部１４ａに記憶された作業記録データのなかに、データ番号ｎのデータがあるかどうかチェックする（ステップＳ３２）。データ番号ｎのデータがある場合（ステップＳ３２：ＹＥＳ）、ＣＰＵ１１はデータ番号ｎのデータを取得する（ステップＳ３３）。その後、ＣＰＵ１１はステップＳ３３で得たデータ番号ｎのデータの作業者コードが図１６に示すフローのステップＳ１１で選択された集計対象としての作業者コードに含まれているかどうか判定する（ステップＳ３４）。作業者コードが集計対象である場合（ステップＳ３４：ＹＥＳ）、ＣＰＵ１１はステップＳ３３で得たデータ番号ｎのデータの縫製パターンが図１６に示すステップＳ１０で入力された集計対象としての縫製パターンＮｏの縫製パターンであるかどうかチェックする（ステップＳ３５）。縫製パターンが集計対象である場合、ＣＰＵ１１はステップＳ３３で得たデータ番号ｎのデータの縫製終了時刻が、図１６に示すフローのステップＳ１３で入力された開始時刻からステップＳ１４で入力された終了時刻の間の時間（対象時間帯）に含まれるかどうか判定する（ステップＳ３６）。縫製終了時刻が対象時間帯に含まれる場合（ステップＳ３６：ＹＥＳ）、ＣＰＵ１１はステップＳ３３で得たデータ番号ｎのデータに含まれる作業者コードから作業者情報を参照し、図１６に示すフローのステップＳ１２で選択された属性項目における当該作業者コードに対応する作業者の属性値を取得する（ステップＳ３７）。その後、ＣＰＵ１１は、選択された属性項目の属性値ごとに用意されたカウンタの中から該当する属性値のカウンタに対してカウント値を＋１する（ステップＳ３８）。その後、ＣＰＵ１１はカウンタｎの値を＋１する（ステップＳ３９）。その後、ステップＳ３２の処理に戻る。なお、ステップＳ３４において作業者コードが集計対象でない場合（ステップＳ３４：ＮＯ）、ステップＳ３５において縫製パターンが集計対象でない場合（ステップＳ３５：ＮＯ）、ステップＳ３６において縫製終了時刻が対象時間帯に含まれない場合（ステップＳ３６：ＮＯ）は、ステップＳ３９の処理へと移行する。また、ステップ３２でデータ番号ｎのデータがない場合（ステップＳ３２：ＮＯ）即ち作業記録データの最後のデータまで集計処理が行われた場合、処理が終了する。
【００４７】
ここで、集計の基準となる項目が就業年数であった場合におけるステップＳ３７〜Ｓ３８の例を示すと、最初に就業年数の属性値が１のデータが取得された場合、ＣＰＵ１１は就業年数１のカウント値を初期値１でＲＡＭ１３に格納する。次に取得したデータの就業年数の属性値が１であった場合、ＣＰＵ１１はＲＡＭ１３に格納された就業年数１のカウント値に１を加算する。つまり、就業年数１のカウント値が２になる。次に取得したデータの就業年数の属性値が２であった場合、ＣＰＵ１１はＲＡＭ１３に就業年数２のカウント値を初期値１でＲＡＭ１３に格納する。つまり、ＲＡＭ１３には就業年数１のカウント値が２、就業年数２のカウント値が１で格納されている状態となる。かようにして就業年数の属性値ごとにカウント値が集計される。各表示画面（一覧表示画面又はグラフ表示画面）では、当該カウント値が就業年数毎の枚数として表示される。
【００４８】
（本発明によるミシンの作用効果）
上述の実施の形態によれば、操作パネル３０に表示された作業者属性項目登録画面から就業年数、年齢、利き腕、視力といった属性情報となる作業者属性項目を登録し、当該作業者属性項目について作業者情報入力画面３１Ｄからその属性値を入力することによってミシンによる縫製作業の習熟度や適性を示す属性情報をオペレータ毎に入力可能である。また、ＣＰＵ１１が、オペレータ毎に設けられた作業者コードと当該オペレータの作業者属性項目とを、ＥＥＰＲＯＭ１４に関連付けて記憶する。さらに、ＣＰＵ１１が作業者属性項目の属性値を基準として縫製作業の完了回数を集計し、集計結果が一覧表示画面３１Ｈ又はグラフ表示画面３１Ｉとして操作パネル３０に表示される。つまり、ミシンの各オペレータの所定の属性項目に対する属性値を基準として、所定の縫製パターンの縫製作業の完了回数を集計することにより、オペレータは一覧表示画面３１Ｈ又はグラフ表示画面３１Ｉに表示された集計結果を確認することで作業者の属性項目と縫製物の枚数即ち縫製作業の完了回数との対応関係を把握することが可能となる。従って、縫製工場の管理者等は、当該対応関係からオペレータ毎の習熟度や適性に応じて人員配置や作業分担を行うことで組織的な効率向上を図ることが可能となる。よって、各オペレータの習熟度や適性と縫製作業の完了回数との関係を把握できないためにオペレータ毎の習熟度や適性に応じた的確な人員配置や作業分担ができず、組織的な効率向上が図れないといった従来のミシンの問題点を解消できる。
また、作業者属性項目登録画面を介して任意の作業者属性項目を追加登録可能であるので、縫製工場の管理者やオペレータは集計の基準としたい属性情報を示す作業者属性項目を任意に追加登録でき、より詳細、好適にオペレータの習熟度や適性と縫製作業の出来高との関係を把握可能となる。従って、例えば職位やオペレータのグループ分け等の組織情報等も属性項目として追加登録し、各グループを基準とした縫製作業の出来高の集計も可能となり、任意の基準による集計が可能となる。
【００４９】
さらに、属性項目選択画面３１Ｇを介して属性情報を示す作業者属性項目を含む項目キーＶ１のうちいずれか一つを選択可能であり、ＣＰＵ１１は属性項目選択画面３１Ｇにおいて選択された属性項目の属性値を基準として集計を行う。よって、作業者属性項目が複数設けられている場合に、作業者属性項目に対応した項目キーＶ１のいずれかひとつを選択することにより、当該作業者属性項目と縫製物の枚数即ち縫製作業の完了回数との対応関係を集計して把握することが可能となる。かような集計を作業者属性項目ごとに行えば、各作業者属性項目と縫製物の枚数即ち縫製作業の完了回数との対応関係を集計して把握することが可能となる。よって、より詳細、好適にオペレータの習熟度や適性と縫製作業の出来高との関係を把握可能となる。
【００５０】
さらに、操作パネル３０は一覧表示画面３１Ｈによって作業者属性項目の属性値を項目に含む一覧表Ｌの形式でＣＰＵ１１による集計結果を表示可能である。よって、作業者属性項目による集計を行った場合には、当該作業者属性項目と縫製物の枚数即ち縫製作業の完了回数との対応関係を一様に表示できると共に、作業者属性項目の属性値の差異による縫製物の枚数即ち縫製作業の完了回数の変化を明確に把握することが可能となる。従って、より好適にオペレータの習熟度や適性と縫製作業の出来高との関係を把握可能となる。
【００５１】
さらに、操作パネル３０はグラフ表示画面３１Ｉによって作業者属性項目の属性値を項目に含むグラフＧの形式でＣＰＵ１１による集計結果を表示可能である。よって、属性情報を示す作業者属性項目による集計を行った場合には、当該作業者属性項目と縫製物の枚数即ち縫製作業の完了回数との対応関係を一様に表示できると共に、作業者属性項目の属性値の差異による縫製物の枚数即ち縫製作業の完了回数の変化を明確に把握することが可能となる。従って、より好適にオペレータの習熟度や適性と縫製作業の出来高との関係を把握可能となる。
さらに、表示選択画面で集計結果を一覧表示画面３１Ｈ又はグラフ表示画面３１Ｉのいずれか一方で表示するよう選択可能であり、オペレータの要望に応じて集計結果の表示を一覧表Ｌ及びグラフＧの形式のいずれでも表示できる。よって、より集計結果を把握しやすい表示形式を選択することが可能となり、一層好適にオペレータの習熟度と縫製作業の出来高との関係を把握可能となる。
【００５２】
（その他）
なお、上述の実施の形態では、属性項目選択画面３１Ｇで選択した項目の属性値を基準とした集計を行っているが、他の属性値を基準とした集計を行えるようにしてもよい。例えばピッチタイム（直前の縫製作業の縫製終了時刻からその縫製作業の縫製終了時刻までの時間）に所定の基準となる区切り（例えば20[秒]以下、21〜40[秒]、41〜60[秒]、61〜80[秒]、80[秒]以上）を設け、ＥＥＰＲＯＭ１４の作業記録データ記憶部１４ａに記憶された各データについてそれぞれどの区切りに含まれるかを集計し、表示するようにしてもよい。なお、直前の縫製終了時刻が存在しない最初の縫製作業については、その縫製作業の縫製開始時刻から縫製終了時刻までをピッチタイムとする。また、この場合でも上述の実施の形態における集計のように特定の作業者コード、特定の対象時間帯に含まれるデータのみを集計対象とするようにしてもよいことは言うまでもない。
また、上術の実施の形態では、所定の縫製作業の完了回数として、所定の縫製パターンの縫製作業の完了回数を集計しているが、定められた縫製作業であれば縫製パターンを必要としない縫製作業の完了回数を集計しても良い。
また、上述の実施の形態では、縫製の終了時刻を糸切りスイッチの入力のタイミングで記録しているが、複数回の糸切りを要する縫製作業の終了時刻を記録する場合は、糸切りスイッチとは別に、操作スイッチを設け、この操作スイッチが操作された時刻を所定の縫製作業の終了時刻として良い。
【００５３】
さらに、集計の方法は上述の実施の形態に限定されない。
図１９は他の集計方法及びその表示方法の一例を示す説明図である。例えば図１９に示すように、集計の基準となる属性項目の属性値（例えば就業年数等）ごとに該当する作業者コード（又は作業者名）を識別可能に表示して、それぞれの作業者コード（又は作業者名）ごとの枚数を表示するようにしてもよい。このとき、図１９に示すように、集計の基準となる属性項目の属性値ごとの総計枚数、総計枚数を各パラメータ毎の人数で割った平均枚数等を併せて算出し、表示するようにしてもよい。
【００５４】
また、本発明の特徴を逸脱しない範囲であれば、上述の実施の形態とは異なる構成によってもよい。例えば、上述の実施の形態においてはＣＰＵ１１によるソフトウェア処理によって各種処理を行っているが、各処理に専用の装置を設けてもよい。
また、上述の実施の形態では、選択された属性項目の属性値を基準とした集計結果を操作パネル３０に表示しているが、ミシン１にパソコン、プリンタ等の外部機器やメモリーカード等の記憶素子に接続するための不図示の外部インターフェースを設け、上述の集計結果を上述の集計結果をこれら外部機器や記憶素子に出力して、外部機器や記憶素子を介して集計結果をできるようにしても良いことは、勿論である。
【図面の簡単な説明】
【００５５】
【図１】本発明にかかるミシンの制御部及び制御部に接続された各部の主要構成を示すブロック図である。
【図２】作業記録データの構成を示す説明図である。
【図３】作業者情報の構成の一例を示す説明図である。
【図４】操作パネルを示す説明図である。
【図５】タッチパネルに表示された標準画面の一例を示す説明図である。
【図６】タッチパネルに表示された作業者一覧画面の一例を示す説明図である。
【図７】タッチパネルに表示された作業者情報画面の一例を示す説明図である。
【図８】操作パネルに表示された作業者情報入力画面の一例を示す説明図である。
【図９】タッチパネルに表示された集計対象設定画面の一例を示す説明図である。
【図１０】タッチパネルに表示された作業者情報選択画面の一例を示す説明図である。
【図１１】タッチパネルに表示された項目選択画面の一例を示す説明図である。
【図１２】タッチパネルに表示された一覧表示画面の一例を示す説明図である。
【図１３】タッチパネルに表示されたグラフ表示画面の一例を示す説明図である。
【図１４】作業者属性項目の追加の際の処理動作内容を示すフローチャートである。
【図１５】作業者属性項目の追加前後の作業者情報を示す説明図である。なお、図１５（ａ）は追加前、図１５（ｂ）は追加後を示す。
【図１６】作業記録データの集計を行う際の処理動作内容を示すフローチャートである。
【図１７】集計処理の処理動作内容を示すフローチャートである。
【図１８】集計処理の一例を作業記録データ、作業者情報及びパラメータ値ごとのカウンタを用いて示す説明図である。
【図１９】他の集計方法及びその表示方法の一例を示す説明図である。
【符号の説明】
【００５６】
１１  ＣＰＵ
１３  ＲＡＭ
１４  ＥＥＰＲＯＭ
２１  スタートスイッチ
２２  糸切りスイッチ
３０  操作パネル
３１  タッチパネル
３１Ｂ  作業者一覧画面
３１Ｃ  作業者情報画面
３１Ｄ  作業者情報入力画面
３１Ｅ  集計対象設定画面
３１Ｇ  属性項目選択画面
３１Ｈ  一覧表示画面
３１Ｉ  グラフ表示画面
【図１】
2010069039.tif 000003
【図２】
2010069039.tif 000004
【図３】
2010069039.tif 000005
【図４】
2010069039.tif 000006
【図５】
2010069039.tif 000007
【図６】
2010069039.tif 000008
【図７】
2010069039.tif 000009
【図８】
2010069039.tif 000010
【図９】
2010069039.tif 000011
【図１０】
2010069039.tif 000012
【図１１】
2010069039.tif 000013
【図１２】
2010069039.tif 000014
【図１３】
2010069039.tif 000015
【図１４】
2010069039.tif 000016
【図１５】
2010069039.tif 000017
【図１６】
2010069039.tif 000018
【図１７】
2010069039.tif 000019
【図１８】
2010069039.tif 000020
【図１９】
2010069039.tif 000021